(57)【要約】【課題】水密性能を向上させることができる建具を提供する。【解決手段】本発明にかかる建具１は、排水溝部３３を有する横材１３と、横材１３に取り付ける排水装置３５とを備え、排水溝部３３の室外側見付壁３３ｂには、排水穴４１が形成してあり、排水装置３５は、排水経路延長容器４３と、排水具４５とを有し、排水経路延長容器４３は、上下方向の排水経路Ｓを延長するものであり係合部４７と排水穴４９を有し、排水具４５は、排水の入口５７と、出口５９と、入口５７と出口５９との間に設けた弁室６１とを有し、入口５７を開閉して弁室内で回動する弁６３が設けてあり、排水経路延長容器４３の係合部４７を排水溝部３３の排水穴４１に室外側から係合してあり、排水経路延長容器４３の排水穴４９に、排水溝部３３の排水穴４１にも着脱自在な排水具４５が取り付けてあり、排水溝部３３の底面３３ｃよりも下に位置している。【選択図】図１
2019178518.tif 000002
【特許請求の範囲】
【請求項１】
排水溝部を有する横材と、横材に取り付ける排水装置とを備え、排水溝部の室外側見付壁には、排水穴が形成してあり、排水装置は、排水経路延長容器と、排水具とを有し、排水経路延長容器は、上下方向の排水経路を延長するものであり係合部と排水穴を有し、排水具は、排水の入口と、出口と、入口と出口との間に設けた弁室とを有し、入口を開閉して弁室内で回動する弁が設けてあり、排水経路延長容器の係合部を排水溝部の排水穴に室外側から係合してあり、排水経路延長容器の排水穴に、排水溝部の排水穴にも着脱自在な排水具が取り付けてあり、排水溝部の底面よりも下に位置していることを特徴とする建具。
【発明の詳細な説明】
【技術分野】
【０００１】
本発明は、建具に関する。
【背景技術】
【０００２】
特許文献１には、下枠（横材）の排水溝部に形成した排水穴に排水具を取付けることが開示されている。
【先行技術文献】
【特許文献】
【０００３】
【特許文献１】実開昭５０−１２１５２９号公報
【発明の概要】
【発明が解決しようとする課題】
【０００４】
しかし、特許文献１の技術では、排水穴と排水溝部の底面が略同一であるため、水密性能を向上させることが難しかった。
【０００５】
そこで、本発明は、水密性能を向上させることができる建具の提供を目的とする。
【課題を解決するための手段】
【０００６】
請求項１に記載の発明は、排水溝部を有する横材と、横材に取り付ける排水装置とを備え、排水溝部の室外側見付壁には、排水穴が形成してあり、排水装置は、排水経路延長容器と、排水具とを有し、排水経路延長容器は、上下方向の排水経路を延長するものであり係合部と排水穴を有し、排水具は、排水の入口と、出口と、入口と出口との間に設けた弁室とを有し、入口を開閉して弁室内で回動する弁が設けてあり、排水経路延長容器の係合部を排水溝部の排水穴に室外側から係合してあり、排水経路延長容器の排水穴に、排水溝部の排水穴にも着脱自在な排水具が取り付けてあり、排水溝部の底面よりも下に位置していることを特徴とする建具である。  
【発明の効果】
【０００７】
請求項１に記載の発明によれば、排水具を排水溝部の排水穴に取り付けてそのまま使用しても良いし、排水溝部の排水穴に排水経路延長容器を付けて、排水経路延長容器の排水穴に排水具を取付けて使用しても良い。排水経路延長容器を用いることで、水頭差を大きくして排水を促進するので、水密性能を向上させることもでき、ニーズに合わせた使い方ができる。  
また、排水経路延長容器の係合部は、排水溝部の排水穴に室外側から係合するものなので、排水経路延長容器の上下方向の寸法を自由に変更することができ、それに応じた水密性能とすることができる。
【図面の簡単な説明】
【０００８】
【図１】本発明の実施の形態にかかる建具であって、図８に示すＡ−Ａ断面図である。
【図２】図１と同じ位置における建具の断面図であって、排水溝部の排水穴に排水経路延長容器に代えて排水具を取付けた状態を示す図である。
【図３】網戸及び目隠し材を外した状態の下枠及びその周囲部分を室外側から見た正面図であり、（ａ）は下枠の排水穴に排水具を取付けた状態を示し、（ｂ）は下枠の排水穴に排水装置を取付けた状態を示す図である。
【図４】排水経路延長容器の図であって、（ａ）は正面図、（ｂ）は側面図、（ｃ）は底面図である。
【図５】排水具の図であり、（ａ）は正面図、（ｂ）は平面図、（ｃ）は側面図、（ｄ）は（ａ）に示すＥ−Ｅ断面図、（ｅ）は（Ａ）に示すＦ−Ｆ断面図である。
【図６】弁の図であり、（ａ）は正面図、（ｂ）は平面図、（ｃ）は側面図である。
【図７】本発明の実施の形態にかかる建具であって、図９に示すＢ−Ｂ断面図である。
【図８】本発明の実施の形態にかかる建具を室外側から見た正面図である。
【図９】本発明の実施の形態にかかる建具を室内側から見た正面図である。
【発明を実施するための形態】
【０００９】
以下に、添付図面を参照して本発明の実施の形態を説明する。  
図８及び図９に示すように、第１実施の形態にかかる建具１は、採風扉付きドアであり、ドアの内周にたてすべり出し窓３が設けてある。  
図９に示すように、窓ユニット３は、枠５と、障子７と、網戸９（図８参照）とを備えている。  
枠５は上枠１１、下枠１３、左右の縦枠１５を枠組みしてあり、図１及び図７に示すように、各枠１１、１３、１５は断熱樹脂材１７で室外側形材と室内側形材を連結して断熱が図られている。尚、上枠１１の断面は省略する。  
障子７は、たてすべり出し障子であり、パネル１９と、パネル１９の外周に組まれた框２１とを備えている。図１及び図７に示すように、框２１も断熱樹脂材２７で室外側と室内側との断熱が図られている。尚、上框の図示は省略する。  
また、図１に示すように下框２１ａは、下枠１３に設けた支持材２９に支持アーム３１を介して連結されている。  
【００１０】
図１に示すように、下枠（横材）１３は、排水溝部３３と、排水装置３５とを備えている。  
排水溝部３３は、室内側見付壁３３ａと、室外側見付壁３３ｂと、底面３３ｃとで上側が開口する溝を形成している。底面３３ｃには上述した支持材２９が固定されている。室外側見付壁３３ｂは、室内側見付壁３３ａよりも高くしてあり、上端部に障子下框２３に当接する気密材３７の保持部３９が形成されている。また、室外側見付壁３３ｂには、底面３３ｃ側に排水穴４１が形成されており、排水穴４１の底面と排水溝部３３の底面３３ｃとは略同一面である。
【００１１】
排水装置３５は、排水経路延長容器４３と、排水具４５とを備えている。  
図１に示すように、排水経路延長容器４３は上下方向の排水経路Ｓを延長するものであり、図１及び図４に示すように、室外側に凹んだ凹状の本体部４４と、係合部４７と排水穴４９を有している。本体部４４には、下枠１３の室外側見付壁３３ｂに室外側から当接する当接部４４ａと当接部４４ａよりも室外側に位置する室外側壁４４ｂとを有し、図４（ｂ）に示すように、室外側壁４４ｂの下には室外側壁４４ｂよりも当接部４４ａ側に凹んだ段部４４ｃが形成されている。  
係合部４７は、本体部４４において室外側壁４４ｂから当接部４４ａを越えて突設してあり、図４（ａ）（ｂ）に示すように、左右に間隔をあけて２つ設けてある。図１に示すように、左右の各係合部４７、４７は排水溝部３３の排水穴４１において室外側から左右の縁に係合している。  
図４（ａ）（ｂ）に示すように、段部４４ｃの見付壁５１には、左右の排水穴４９、４９が並んで形成されている。図１に示すように、段部４４ｃには排水具４５が取付けられる。  
【００１２】
図１及び図５に示すように、排水具４５は、本体部５３と、係合部５５ａ、５５ｂとを有している。  
本体部５３は排水の入口５７と、出口５９と、入口５７と出口５９との間に設けた弁室６１とを有し、弁室６１には入口５７を開閉して弁室６１内で回動する弁６３（図１及び図６参照）が設けてある。  
図５に示すように、本体部５３は、見付壁５３ａと、上壁５３ｂと、左右の見込壁５３ｃ、５３ｃとを有し、これらの壁５３ａ、５３ｂ、５３ｃ、５３ｃで弁室６１を形成している。左右の見込壁５３ｃ、５３ｃには、それぞれ軸受け５４、５４が形成されている。
入口５７は、本体部５３の見付壁５３ａに左右に２つ並んで正面視長方形に形成されている。図１に示すように、出口５９は、左右の見込壁５３ｃ、５３ｃ間で弁６３が開いたときの下方空間に形成されている。  
上係合部５５ａは本体部５３の上壁５３ｂから突設して排水経路延長容器４３の排水穴４９（図４参照）の上縁に係合し、横係合部５５ｂは左右の各見込壁５３ｃ、５３ｃから突設して排水経路延長容器４３の排水穴４９（図４参照）の左右縁にそれぞれ係合している。  
図１に示すように、排水具４５の本体部５３は排水経路延長容器４３の段部４４ｃに配置してあり、段部４４ｃの凹み内に収まっており、排水経路延長容器４３と排水具４５とで全体として側面視四角形状を成している。  
【００１３】
図６に示すように、弁６３は軸部６３ａと、弁本体６３ｂとを有し、軸部６３ａは弁本体６３ｂの左右からそれぞれ側方に突設してある。左右の軸部６３ａ、６３ａはそれぞれ、図５に示す本体部５３の軸受け５４に回動自在に軸支されている。  
弁本体６３ｂは軸部６３ａと一体に形成してあり、入口５７（図１及び図５参照）に対向する排水受け面６３ｃを有し、排水受け面６３ｃは入口５７と反対側に凹んで形成されている。弁本体６３ｂの排水受け面６３ｃの裏側は室外側の風圧を受ける風圧受け面６３ｄである。  
【００１４】
ここで、網戸９について説明する。図７及び図８に示すように、網戸９は開き障子７の室外側に設けてある。図７に示すように、網戸９において、左右の網戸縦框６５ａ、６５ａは、左右の網戸格子枠６７ａ、６７ａに取付けてあり、網戸格子枠６７ａ、６７ｂは建具１の室外側見付面に固定されている。  
図１に示すように、網戸下框６５ｃは、下枠１３の室外側に設けてあり、建具１の下端から下枠１３の室外側見付壁３３ｂの上端に設けてある気密材保持部３９に亘る寸法を有し、網戸下框６５ｃで排水装置３５の室外側を覆っている。  
図７及び図８に示すように、網戸９の網９ａの室外側には目隠し材６９が配置されており、目隠し材６９は網戸上框６５ｄ（図８参照）及び網戸下框６５ｃ（図１参照）に固定されている。  
【００１５】
次に、排水装置３５の組立て及び排水装置３５の下枠（横材）１３への取付けについて説明する。  
図１に示すように、排水経路延長容器４３の段部４４ｃに排水具４５を配置し、排水具４５の上係合部５５ａ及び横係合部５５ｂを排水経路延長容器４３の排水穴４９に係合して取付ける。  
図１及び図３（ｂ）に示すように、排水経路延長容器４３の下枠１３への取付けは、下枠１３の室外側見付壁３３ｂの室外側に排水経路延長容器４３を配置して、下枠１３の排水穴４１に室外側から係合部４７を嵌め入れて排水穴４１の左右縁に着脱自在に係合する。  
図１に示すように、排水経路延長容器４３は、その上端部４４ｄを排水溝部３３の室内側見付壁３３ａの上端よりも高い位置でねじ６６により固定する。  
【００１６】
また、図２及び図３（ａ）に示すように、排水経路延長容器４３を用いないで、排水具４５のみを下枠（横材）１３に取付けることも可能であり、その場合には、排水具４５を下枠１３の排水溝部３３の排水穴４１の室外側に配置して、排水具４５の上係合部５５ａを排水穴４１の上縁に、左右の横係合部５５ｂを排水穴４１のそれぞれ対応する左右の横縁に係合して着脱自在に取付ける。  
【００１７】
次に、本実施の形態に係る建具１の作用効果について説明する。  
図１に示すように、水頭差を大きく取りたい場合には、排水具４５を装着した排水経路延長容器４３の係合部４７を下枠１３の排水溝部３３の排水穴４１に係合して取付ける。
排水経路延長容器４３では、排水溝部３３に浸入した水を排水溝部３３の排水穴４１に係合する係合部４７、４７間（図４（ａ）参照）から取込んで、排水経路Ｓを経てその下方に位置する排水穴４９に取付けた排水具４５の出口５９から排水する。排水経路延長容器４３の排水穴４９は排水溝部３３の底面よりも下方に位置しているから、排水溝部３３の水頭差Ｈ２（図２参照）よりも大きな寸法の水頭差Ｈ１を得ることができる。このように、水頭差Ｈ１を排水溝部３３における水頭差Ｈ２よりも大きくすることで、排水性能を高めることができる。  
排水具４５において、入口５７と出口５９との間には弁室６１を設けてあり、弁室６１内に入口５７を開閉する弁６３を設けているので、出口５９から風圧が作用した場合には、入口５７を弁６３で閉じる。これにより、室外側から風圧により外気が室内に入るのを防止する。  
【００１８】
本実施の形態によれば、図２及び図３（ａ）に示すように、排水経路延長容器４３を用いないで、排水具４５のみを排水溝部３３の排水穴４１に直接取り付けてそのまま使用しても良いし、図１及び図３（ｂ）に示すように、排水経路延長容器４３を排水溝部３３の排水穴４１に取付けて、排水経路延長容器４３の排水穴４９に排水具４５を取付けて使用しても良い。排水経路延長容器４３を用いることで、水頭差Ｈ１を大きくして排水を促進するので、水密性能を向上させることもでき、ニーズに合わせた使い方ができる。  
排水経路延長容器４３の係合部４７は、排水溝部３３の排水穴４１に室外側から係合するので、排水経路延長容器４３の上下方向の寸法を自由に変更することができ、それに応じた水密性能とすることができる。  
【００１９】
また、図１及び図８に示すように、網戸下框６５ｃを排水溝部３３の室外側に設けると共に網戸下框６５ｃの上端を排水経路延長容器４３の上端を越えて設けて、排水経路延長容器４３を隠しているので、外観が良い。同様に、図２に示すように、排水溝部３に排水具４５を取付けた場合にも排水具４５が室外側から見えないので外観が良い。
排水具４５は、入口５７と出口５９との間に弁室６１を設けて、出口５９から風圧が作用した場合には、入口５７を弁６３で閉じて、風圧による外気の侵入を防止しているから、気密性を高めることができる。  
図１に示すように、排水経路延長容器４３は、その上端部４４ｄを排水溝部３３の室内側見付壁３３ａの上端よりも高い位置でねじ６６により固定しているので、排水経路延長容器４３の固定部からの水漏れを防止できる。  
【００２０】
本発明は、上述した実施の形態に限らず、本発明の要旨を逸脱しない範囲で種々変形可能である。  
例えば、特許請求の範囲に記載の横材は、下枠１３に限らず、無目であっても良い。また、建具１は、ドアに限らず、引戸やサッシであっても良い。  
上述した実施の形態は、２つの排水穴に４１、４１に排水経路延長容器４３を取付けたが、一つの排水穴４１に排水経路延長容器４３を取付けるものであっても良い。  
【符号の説明】
【００２１】
１    建具
１３  下枠（横材）
３３  排水溝部
３５  排水装置
３３ｂ  室外側見付壁
３３ｃ  底面
４１  排水穴（排水溝部の排水穴）
４３  排水経路延長容器
４５  排水具
４７  係合部（排水経路延長容器の係合部）
４９  排水穴（排水経路延長容器の排水穴）
５７  入口
５９  出口
６１  弁室
６３  弁
【図１】
2019178518.tif 000003
【図２】
2019178518.tif 000004
【図３】
2019178518.tif 000005
【図４】
2019178518.tif 000006
【図５】
2019178518.tif 000007
【図６】
2019178518.tif 000008
【図７】
2019178518.tif 000009
【図８】
2019178518.tif 000010
【図９】
2019178518.tif 000011